(57)【要約】      （修正有）【課題】型合わせ面での奪熱効果を高めるために、複雑な送水路を内部に形成したチルベントを提供する。【解決手段】チルベント１のチルブロック２Ａ，２Ｂは、型合わせ面２Ａ１，２Ｂ１を備えた基材３Ａ，３Ｂに、送水路形成板４Ａ，４Ｂを嵌め合わせて構成されている。送水路形成板は、嵌合凹部４Ａ１，４Ｂ１の表面に送水溝５Ａ，５Ｂを備え、送水溝５Ａ，５Ｂの表面に連通した給水孔６Ａ１，６Ｂ１及び排水孔６Ａ２，６Ｂ２が裏面に開口している。送水溝５Ａ，５Ｂは、給水孔６Ａ１，６Ｂ１と排水孔６Ａ２，６Ｂ２とを連通させる溝を嵌合凹部の表面に設けて構成されている。送水路形成板に基材が嵌め合わされると、送水溝と基材の裏面との間に送水路が形成される。【選択図】図３
2012157894.tif 000002
【特許請求の範囲】
【請求項１】
ガス抜き路を形成する型合わせ面を備えた基材と、
該基材に嵌め合わされて前記基材との間に送水路を形成する送水路形成板とを備えていることを特徴とするチルベント。
【請求項２】
前記送水路形成板に嵌め合わされて前記送水路と連通した供給路を形成する供給路形成板を備えていることを特徴とする請求項１に記載のチルベント。
【請求項３】
互いに積層された複数枚の前記供給路形成板を備え、
各前記供給路形成板が備える供給路は、前記送水路形成板側に位置する前記供給路形成板が備えた連通路を通して前記送水路に連通していることを特徴とする請求項２に記載のチルベント。
【発明の詳細な説明】
【技術分野】
【０００１】
本発明は、チルベントに関する。
【背景技術】
【０００２】
チルベントは、波形の型合わせ面を有した一対のチルブロックから構成され、一対のチルブロックが型合わせ面を向き合わせることで、蛇行するガス抜き路が形成される。ガス抜き路内では、鋳型から流出した溶湯が高圧で流動するため、溶湯がガス抜き路内で凝固せずに外部に吹き出す虞がある。このため、下記の特許文献１〜４では、チルブロックに冷却パイプ等で送水路を設けて冷却能力を向上させることが考えられている。
【先行技術文献】
【特許文献】
【０００３】
【特許文献１】特開平１０−２４９５０８
【特許文献２】特開平１１−１５１５６４
【特許文献３】特開２００６−２０５１８５
【特許文献４】特開２００８−８０３９１
【発明の概要】
【発明が解決しようとする課題】
【０００４】
型合わせ面での奪熱効果を高めるには冷却能力を高めることが必要である。冷却能力を高めるには送水路の面積を大きくすると共に送水路を型合わせ面に近づけることによって可能となる。このためには、型合わせ面に沿って屈曲しながら延びる複雑な送水路をチルブロック内に形成する必要がある。従来はチルブロックに削孔を形成して給水路を設けていたことから、このような送水路をチルブロックに形成することは困難であった。
【０００５】
本発明は、このような状況に鑑みてなされたものであり、上記課題を解決することができるチルベントを提供することを目的とする。
【課題を解決するための手段】
【０００６】
このような目的を達成するために、本発明のチルベントは、ガス抜き路を形成する型合わせ面を備えた基材と、該基材に嵌め合わされて前記基材との間に送水路を形成する送水路形成板とを備えていることを特徴とする。
また、本発明は、前記送水路形成板に嵌め合わされて前記送水路と連通した供給路を形成する供給路形成板を備えていることを特徴とする。
また、本発明は、互いに積層された複数枚の前記供給路形成板を備え、各前記供給路形成板が備える供給路は、前記送水路形成板側に位置する前記供給路形成板が備えた連通路を通して前記送水路に連通していることを特徴とする。
【発明の効果】
【０００７】
本発明によれば、基材に送水路形成板を嵌め合わせて基材と送水路形成板との間に送水路を形成することで、複雑な送水路をチルベント内に形成することができる。
【図面の簡単な説明】
【０００８】
【図１】本発明の一実施形態のチルベントの構成の概略を示す側面図である。
【図２】図１に示すチルベントが備える固定側チルブロックを示す図であり、（ａ）は表側，（ｂ）は左側，（ｃ）は下側から見た図である。
【図３】固定側チルブロックが備える送水溝を示す図であり、（ａ）は送水路形成板を表側から見た図，（ｂ）はＡ−Ａ矢視での断面図，（ｃ）はＢ−Ｂ矢視での断面図である。
【図４】チルベントが備える可動側チルブロックを示す図であり、（ａ）は表側，（ｂ）は左側，（ｃ）は下側から見た図である。
【図５】固定側チルブロックが備える送水溝を示す図であり、（ａ）は送水路形成板を表側から見た図，（ｂ）はＣ−Ｃ矢視での断面図，（ｃ）はＤ−Ｄ矢視での断面図である。
【図６】チルブロックが備える送水溝の変形例を示し、（ａ）は送水路形成板を表側から見た図，（ｂ）はＥ−Ｅ矢視での断面図である。
【図７】チルブロックが備える送水溝の変形例を示し、（ａ）はＦ−Ｆ矢視での断面図，（ｂ）はＧ−Ｇ矢視での断面図，（ｃ）はＨ−Ｈ矢視での断面図である。
【図８】チルブロックが備える送水溝の変形例を示す断面図である。
【図９】チルブロックが備える送水溝の変形例を示す断面図である。
【図１０】チルブロックが備える送水溝の変形例を示し、（ａ）は送水路形成板を表側から見た図，（ｂ）はＪ−Ｊ矢視での断面図，（ｃ）はＩ−Ｉ矢視での断面図である。
【図１１】チルブロックが備える送水溝の変形例を示し、（ａ）は送水路形成板を表側から見た図，（ｂ）はＫ−Ｋ矢視での断面図，（ｃ）はＬ−Ｌ矢視での断面図である。
【図１２】チルブロックが備える送水溝の変形例を示し、（ａ）はＰ−Ｐ矢視での断面図，（ｂ）はＭ−Ｍ矢視での断面図，（ｃ）はＮ−Ｎ矢視での断面図，（ｄ）はＯ−Ｏ矢視での断面図である。
【図１３】チルブロックの変形例を示し、（ａ）は送水路形成板を表側から見た図，（ｂ）はＱ−Ｑ矢視での断面図，（ｃ）はＲ−Ｒ矢視での断面図である。
【発明を実施するための形態】
【０００９】
以下、図面を参照して、本発明の実施の形態を説明する。
【００１０】
図１に示すように、チルベント１は、固定側のチルブロック２Ａと、可動側のチルブロック２Ｂとを備えている。チルブロック２Ａ，２Ｂは、互いの型合わせ面２Ａ１，２Ｂ１を向き合わせて配置され、鋳型のキャビティに連通したガス抜き路１Ａを両型合わせ面２Ａ１，２Ｂ１間に形成する。
【００１１】
チルブロック２Ａは、図２に示すように、型合わせ面２Ａ１を備えた基材３Ａに、送水路形成板４Ａを嵌め合わせて固定板１０Ａに固定され、互いを接合，溶接，又は接着等して構成されている。基材３Ａは、方形の平板状を呈しており、表面に型合わせ面２Ａ１を備えている。型合わせ面２Ａ１は、基材３Ａの左右方向に延びる複数の突条３Ａ１を、上下方向に等間隔で配列して構成されている。送水路形成板４Ａは、方形の平板状を呈しており、基材３Ａが嵌め合わされる嵌合凹部４Ａ１を表面に備えている。
【００１２】
嵌合凹部４Ａ１の表面には、図３に示すように、基材３Ａとの間に送水路を形成する送水溝５Ａが設けられている。送水路形成板４Ａの裏面の上部には、送水溝５Ａの表面に連通した給水孔６Ａ１及び排水孔６Ａ２が開口している。給水孔６Ａ１及び排水孔６Ａ２は、送水路形成板４Ａの左右方向の中央部を挟み左右に並んで配置されている。
【００１３】
送水溝５Ａは、給水孔６Ａ１と排水孔６Ａ２とを連通させる断面矩形の溝を嵌合凹部４Ａ１の表面に設けて構成されている。送水溝５Ａは、溝５Ａ１〜５Ａ６を備えている。溝５Ａ１は、給水孔６Ａ１から嵌合凹部４Ａ１の表面の左右方向の中央部にまで左斜め下方に延びている。溝５Ａ２は、溝５Ａ１の下端から左右に延びている。溝５Ａ３は、溝５Ａ２の左右の両端から嵌合凹部４Ａ１の表面の下端部まで下方に延びている。溝５Ａ４は、溝５Ａ３の下端から嵌合凹部４Ａ１の表面の左右の端部まで左右に延びている。溝５Ａ５は、溝５Ａ４の左又は右の外側の端部から嵌合凹部４Ａ１の表面の上端部まで上方に延びている。溝５Ａ６は、左右の溝５Ａ５の端部同士を結んで左右に延びている。溝５Ａ７は、溝５Ａ６の左右方向の中央部から下方に延びた後、左側に屈曲して排水孔６Ａ２と連通している。
【００１４】
図４に示すチルブロック２Ｂは、チルブロック２Ａと同様に、基材３Ｂに送水路形成板４Ｂを嵌め合わせて互いを接合，溶接，又は接着等して構成されているが、型合わせ面２Ｂ１の上端部及び下端部には突部３Ｂ２が備えられている。また、型合わせ面２Ｂ１の突条３Ｂ１は、チルブロック２Ａの突条３Ａ１と交互に配置されるよう両突部３Ｂ２間に形成されている。
【００１５】
また、図５に示すように、送水路形成板４Ｂが備える嵌合凹部４Ｂ１の表面には、給水孔６Ｂ１，排水孔６Ｂ２の他に、押出ピンを収容するための一対の収容孔７Ｂ３が開口している。押出ピンは、ガス抜き路１Ａで凝固した溶湯をチルブロック２Ｂの型合わせ面２Ｂ１から脱落させるためのものである。収容孔７Ｂ３は、嵌合凹部４Ｂ１の表面の下部に上下に並んで形成されており、嵌合凹部４Ｂ１の表面の左右方向の中央部に配置されている。基材３Ｂにも押出ピンの挿通孔３Ｂ３が形成されている。チルブロック２Ｂの送水溝５Ｂは、溝５Ｂ１〜溝５Ｂ７を備えており、チルブロック２Ａの送水溝５Ａと同様に構成されているが、溝５Ｂ１が嵌合凹部４Ｂ１の表面の左右方向の中央部にまで斜めに延びた後、溝５Ｂ１ａを下方に延出させている。また、溝５Ｂ３が収容孔７Ｂ３を避けるように溝５Ｂ３ａで左右の外側に屈曲しており、溝５Ｂ７が溝５Ｂ６の左端部から下方に延びて排水孔６Ｂ２に連通している。
【００１６】
チルブロック２Ａ，２Ｂでは、送水路形成板４Ａ，４Ｂに基材３Ａ，３Ｂが嵌め合わされることで、送水溝５Ａ，５Ｂと基材３Ａ，３Ｂとの間に送水路がそれぞれ形成される。送水溝５Ａ，５Ｂで形成する送水路には、図示しない流路から給水孔６Ａ１，６Ｂ１を通して流通媒体が供給される。供給された流通媒体は、溝５Ａ１，５Ｂ１から溝５Ａ１，５Ｂ１を通って溝５Ａ２，５Ｂ２内に流入し、溝５Ａ２，５Ｂ２で左右に分かれて溝５Ａ３，５Ｂ３内を下方に流通する。その後、流通媒体は、溝５Ａ４，５Ｂ４から溝５Ａ５，５Ｂ５内に流入して、溝５Ａ５，５Ｂ５内を上方に流通する。左右の溝５Ａ５，５Ｂ５内を上方に流通した流通媒体は、溝５Ａ６，５Ｂ６で合流すると溝５Ａ７，５Ｂ７内に流入し、排水孔６Ａ２，６Ｂ２から外部に排出される。
【００１７】
図１に示すように、チルベント１では、チルブロック２Ａ，２Ｂの型合わせ面２Ａ１，２Ｂ１間にガス抜き路１Ａが形成され、鋳型のキャビティから流入したガスや溶湯がガス抜き路１Ａを下端側から上端側にかけて流通する。このため、チルブロック２Ａ，２Ｂの型合わせ面２Ａ１，２Ｂ１は、下端側から上端側にかけて加熱され、加熱時の温度上昇は下端部が最も大きく、上端側にかけて徐々に小さくなる。鋳型のキャビティ内への溶湯の射出時には、給水孔６Ａ１から送水溝５Ａ，５Ｂに供給された冷却水が、溝５Ａ２，５Ｂ２から溝５Ａ３，５Ｂ３，溝５Ａ４，５Ｂ４，溝５Ａ５，５Ｂ５とチルブロック２Ａ，２Ｂの下端から上端部へと循環して排水孔６Ａ２，６Ｂ２から排出される。
【００１８】
本実施形態によれば、基材３Ａ，３Ｂに嵌め合わされた送水路形成板４Ａ，４Ｂと基材３Ａ，３Ｂとの間に形成された間隙で送水路を形成することから、基材３Ａ，３Ｂと送水路形成板４Ａ，４Ｂとの嵌合面の面形状を定めることで、溶湯の冷却に適した様々な形状の送水路をチルブロック２Ａ，２Ｂ内に形成できる。
【００１９】
なお、チルブロック２Ａ，２Ｂが備える送水溝５Ａ，５Ｂの断面形状は、送水溝５Ａ，５Ｂの配置条件やチルブロック２Ａ，２Ｂの冷却条件等に応じて適宜定めることができる。例えば、図６に示すチルブロック２Ｃのように、送水溝５Ｃの一部分を他の部分と異なる断面形状に形成してもよい。
【００２０】
チルブロック２Ｃは、送水路形成板４Ｃがケース１１Ｃに収容される構成を有している。チルブロック２Ｃの送水溝５Ｃは、溝５Ｃ１〜溝５Ｃ７を備えており、チルブロック２Ｂと同様に構成されているが、溝５Ｃ５には締結ボルト７１を避けるための溝５Ｃ５ａが設けられている。溝５Ｃ５ａは、送水路形成板４Ｃの左右方向の中央部側に向けて屈曲したくの字状を呈しており、送水溝５Ｃの他の部分よりも幅が狭く、深さが深い矩形の断面形状を有している。
【００２１】
なお、この例では、溝５Ｃ５の一部である溝５Ｃ５ａを他の部分と異なる断面形状に形成したが、溝５Ｃ１〜溝５Ｃ４や溝５Ｃ６，溝５Ｃ７の全体又は一部を送水溝５Ｃの他の部分と異なる断面形状に形成することもできる。また、送水溝５Ｃの断面形状は矩形には限定されない。このように、嵌合凹部４Ｃ１の表面に設けた送水溝５Ｃで送水路を形成することで、複雑な形状の送水路も簡単に形成することができる。
【００２２】
また、上記実施形態では、基材３Ａ，３Ｂに嵌め合わされる送水路形成板４Ａ，４Ｂに送水溝５Ａ，５Ｂが形成されていたが、図７に示すチルブロック２Ｄのように、基材３Ｄの裏面に送水溝５Ｄを形成してもよい。チルブロック２Ｄは、送水路形成板４Ｄに嵌合凹部を備えておらず、ケース１１Ｄの収容室１１Ｄａに収容された送水路形成板４Ｄの表面に基材３Ｄが嵌め合わされる。
【００２３】
送水溝５Ｄは、溝５Ｄ１〜５Ｄ５を備えている。溝５Ｄ１は、基材３Ｄの裏面の上縁部に沿って左右に延びている。溝５Ｄ２は、溝５Ｄ１の左右の端部から基材３Ｄの下端部まで下方に延びている。溝５Ｄ３は、両溝５Ｄ２の下端部同士を結んでいる。溝５Ｄ４は、溝５Ｄ３の左右方向の中央部から左右に並んで上方に向けて延びている。溝５Ｄ５は、溝５Ｄ４の上端部同士を結んで左右に延びている。給水孔６Ｄ１は、送水路形成板４Ｄを表面から裏面にかけて貫通し、左側の溝５Ｄ４と溝５Ｄ５との連結部の表面に連通している。また、排水孔６Ｄ２は、送水路形成板４Ｄを表面から裏面にかけて貫通し、溝５Ｄ１の表面の左右方向の中央部よりもやや右側に連通している。このように、基材３Ｄに送水溝５Ｄを形成することでも、基材３Ｄと送水路形成板４Ｄとの間に複雑な形状の送水路を簡単に形成できる。
【００２４】
また、基材３Ａ，３Ｂや送水路形成板４Ａ，４Ｂに形成する送水溝５Ａ，５Ｂの配置態様も、基材３Ａ，３Ｂと送水路形成板４Ａ，４Ｂとの間に形成する送水路の形状に合わせて任意に定められ、例えば、図７のチルブロック２Ｄでは、送水溝５Ｄに代えて図８に示す送水溝５Ｅや図９に示す送水溝５Ｆを備える構成とすることができる。なお、図８、図９は図７のＦ−Ｆ矢視での断面図に相当する図である。
【００２５】
送水溝５Ｅは、図８に示すように、基材３Ｅの裏面の上端部から下端部にかけて基材３Ｅの左右の縁部に沿って延びた溝５Ｅ１と、溝５Ｅ１の下端から基材３Ｅの裏面の左右の中央部に向けて左右方向に延びた溝５Ｅ２と、基材３Ｅの裏面の中央部側の溝５Ｅ２の端部から基材３Ｅの裏面の上端部まで上方に延びた溝５Ｅ３と、溝５Ｅ３の上端同士を結んで左右に延びた溝５Ｅ４とを備えている。送水路形成板４Ｅの表面に開口した給水孔６Ｅ１は、左側の溝５Ｅ１の上端部に連通している。また、送水路形成板４Ｅの表面に開口した排水孔６Ｅ２は、右側の溝５Ｅ１の上端部に連通している。
【００２６】
送水溝５Ｆは、図９に示すように、基材３Ｆの右端部から左端部にかけて左右に延びて上下方向に配列された複数本（図に示す例では７本）の溝５Ｆ１と、上端側の溝５Ｆ１から順に下側の溝５Ｆ１と左端同士又は右端同士で交互に連結する溝５Ｆ２とを備えている。送水路形成板４Ｆの表面に開口した給水孔６Ｆ１は、上端の溝５Ｆ１の溝５Ｆ２と連結されていない端部に連通している。また、送水路形成板４Ｆに開口した排水孔６Ｆ２は、下端の溝５Ｆ１の溝５Ｆ２と連結されていない端部に連通している。
【００２７】
また、上記実施形態では、基材３Ａ，３Ｂに送水路形成板４Ａ，４Ｂを嵌め合わせて送水路を構成した場合について説明したが、図１０に示すチルブロック２Ｇのように、送水路形成板４Ｇ１に供給路形成板４Ｇ２を嵌め合わせ、送水路と連通した給水路を設ける構成としてもよい。この例では、基材３Ｇ，送水路形成板４Ｇ１，及び供給路形成板４Ｇ２がケース１１Ｇの収容室１１Ｇａに収容されている。
【００２８】
チルブロック２Ｇでは、基材３Ｇ及び送水路形成板４Ｇ１に形成された送水溝５Ｇで送水路が形成されており、給水孔６Ｇ１及び排水孔６Ｇ２がケース１１Ｇに形成されている。給水孔６Ｇ１及び排水孔６Ｇ２は、収容室１１Ｇａの表面からケース１１Ｇの裏面まで貫通している。
【００２９】
チルブロック２Ｇの送水溝５Ｇは、溝５Ｇ１〜溝５Ｇ６を備えて送水溝５Ａと同様に構成されているが、溝５Ａ７に相当する溝を備えていない。また、溝５Ｇ１は、基材３Ｇ及び送水路形成板４Ｇ１の左右方向の中央部にまで斜め下方に延びた後、下方に延びている。溝５Ｇ２は、溝５Ｇ１の下端から左右の外側に向けて斜め下方に延びて、溝５Ｇ３の上端と連結されている。また、溝５Ｇ６の左右方向の中央部からは、溝５Ｇ６ａが下方に延びている。
【００３０】
送水路形成板４Ｇ１は、送水溝５Ｇを給水孔６Ｇ１及び排水孔６Ｇ２側に連通させる連通孔９Ｇ１，９Ｇ２を備えている。連通孔９Ｇ１は、溝５Ｇ１の上端部の表面から送水路形成板４Ｇ１の裏面まで貫通している。連通孔９Ｇ２は、溝５Ｇ６ａから溝５Ｇ６の上端まで上方に向けて延びた方形の開口形状を有しており、溝５Ｇ６及び溝５Ｇ６ａの表面から送水路形成板４Ｇ１の裏面まで貫通している。
【００３１】
給水路形成板４Ｇ２は、送水路形成板４Ｇ１と同じ平面形状を有した平板状を呈している。給水路形成板４Ｇ２は、送水路形成板４Ｇ１とケース１１Ｇとの間に給水路を形成する給水溝８Ｇを備えている。給水溝８Ｇは、給水路形成板４Ｇ２の左右方向の中央部から下方に延びた後、左側に屈曲しており、給水路形成板４Ｇ２を表面から裏面まで貫通している。給水溝８Ｇは、上端部で連通孔９Ｇ２と連通し、下端部で排水孔６Ｇ２と連通している。また、給水路形成板４Ｇ２には、送水路形成板４Ｇ１の連通孔９Ｇ１をケース１１Ｇの給水孔６Ｇ１に連通させる連通孔９Ｇ３が設けられている。連通孔９Ｇ３は、給水路形成板４Ｇ２の表面から裏面まで貫通している。
【００３２】
チルブロック２Ｇでは、基材３Ｇに送水路形成板４Ｇ１が嵌め合わされて基材３Ｇと送水路形成板４Ｇ１との間に送水溝５Ｇで送水路が形成され、送水路形成板４Ｇ１に給水路形成板４Ｇ２が嵌め合わされて送水路形成板４Ｇ１とケース１１Ｇとの間に給水溝８Ｇで給水路が形成される。給水溝８Ｇは、送水溝５Ｇの溝５Ｇ６及び溝５Ｇ６ａと連通孔９Ｇ２で連通している。ケース１１Ｇの給水孔６Ｇ１は、給水路形成板４Ｇ２の連通孔９Ｇ３及び送水路形成板４Ｇ１の連通孔９Ｇ１を介して溝５Ｇ１の上端部に連通している。
【００３３】
給水孔６Ｇ１に供給された流通媒体は、連通孔９Ｇ３を通って連通孔９Ｇ１から溝５Ｇ１内に流入し、溝５Ｇ２で左右に分かれて溝５Ｇ３内を下方に流通する。その後、流通媒体は、溝５Ｇ４から溝５Ｇ５内に流入して、溝５Ｇ５内を上方に流通する。左右の溝５Ｇ５内を上方に流通した流通媒体は、溝５Ｇ６及び溝５Ｇ６ａから連通孔９Ｇ２を通って給水溝８Ｇ内に流入し、排水孔６Ｇ２から外部に排出される。
【００３４】
この構成によれば、供給路形成板４Ｇ２の給水溝８Ｇで形成した給水路及び連通孔９Ｇ１〜９Ｇ４を通して、送水路に対する流通媒体の給排水を行うことから、送水路に対して様々な形状の供給路を形成することができる。従って、送水路と供給路とを組み合わせることで、複雑な形状の送水路を簡単に構成することができる。
【００３５】
なお、給水溝８Ｇの配置態様、及び、送水溝５Ｇと給水溝８Ｇとの連結態様は任意であり、例えば、図１１に示すチルブロック２Ｈのように構成してもよい。チルブロック２Ｈでは、基材３Ｈ及び送水路形成板４Ｈ１に形成された送水溝５Ｈが、溝５Ｇ２に相当する溝（斜め溝）を備えておらず、溝５Ｈ１から１本の溝５Ｈ３に直接連結されている。また、溝５Ｈ３の下端部は、溝５Ｈ４の左右方向の中央部に連結されている。さらに、給水路を構成する給水溝８Ｈが、送水路形成板４Ｈ１及び給水路形成板４Ｈ２に形成されている。給水路形成板４Ｈ２では、溝５Ｈ６と給水溝８Ｈとの間に両者を連通する連通孔９Ｈ２が形成されており、給水溝８Ｈの下端部の表面には連通孔９Ｈ４が開口している。連通孔９Ｈ４は、給水溝８Ｈの表面から給水路形成板４Ｈ２の裏面まで貫通しており、排水孔６Ｈ２に連通している。
【００３６】
また、図１２に示すチルブロック２Ｉのように、送水路同士を連通させる給水溝８Ｉを設けてもよい。チルブロック２Ｉは、基材３Ｉの裏面に送水溝５Ｉが形成されている。送水溝５Ｉは、溝５Ｉ１〜溝５Ｉ４を備えており、図８を用いて説明した送水溝５Ｅと同様に構成されているが、溝５Ｉ４の上端が溝５Ｉ１の上端よりも下方に位置している。左右の溝５Ｉ１の上端部は、送水路形成板４Ｉ１に設けられた連通孔９Ｉ２に連通している。また、溝５Ｉ４の左端部は、送水路形成板４Ｉ１に設けられた連通孔９Ｉ１に連通している。連通孔９Ｉ１，９Ｉ２は、送水路形成板４Ｉ１を表面から裏面まで貫通している。
【００３７】
給水路形成板４Ｉ２の表面には給水溝８Ｉが形成されている。給水溝８Ｉは、給水路形成板４Ｉ２の左端部から右端部にかけて給水路形成板４Ｉ２の上縁部に沿って延びており、送水路形成板４Ｉ１の左右の連通孔９Ｉ２同士を連通させている。給水溝８Ｉの中央部からは、下方に向けて給水溝８Ｉａが延びている。給水溝８Ｉａの下端部の表面には、給水路形成板４Ｉ２の裏面まで貫通して、ケース１１Ｉの排水孔６Ｉ２に連通した連通孔９Ｉ４が設けられている。また、給水路形成板４Ｉ２には、表面から裏面にかけて給水路形成板４Ｉ２を貫通した連通孔９Ｉ３が設けられている。連通孔９Ｉ３は、送水路形成板４Ｉ１の連通孔９Ｉ１及びケース１１Ｉの給水孔６Ｉ１と連通している。
【００３８】
なお、給水路形成板４Ｉ２に形成された給水溝８Ｉでなく送水路形成板４Ｉ１に形成された給水溝で送水溝５Ｉ１同士を連通させてもよい。このように、送水路同士を給水溝８Ｉで連結することで、より複雑な形状の送水路をチルブロック２Ｉ内に形成することが出来る。また、給水路形成板４Ｉ２を複数枚積層して、複数層の給水路を設ける構成としてもよい。また、基材３Ｉと送水路形成板４Ｉ１との間に送水路を形成し、送水路形成板４Ｉ１と給水路形成板４Ｉ２との間や給水路形成板４Ｉ２間に給水路を形成できるのであれば、これらの面形状は任意であり、送水溝５Ｉや給水溝８Ｉから構成するものには限定されない。
【００３９】
また、図１３に示すチルブロック２Ｊのように、基材３Ｊが備える嵌合凹部３Ｊ４に送水路形成板４Ｊを嵌め合わせる構成としてもよい。送水路形成板４Ｊは、チルブロック２Ｂの送水路形成板４Ｂと固定板１０Ｂとを一体化した形状を有しており、図９の送水溝５Ｆと同様に溝５Ｊ１と溝５Ｊ２とを組み合わせて構成された送水溝５Ｊを表面に備えている。ただし、送水溝５Ｊは、送水路形成板４Ｂに形成された収容孔７Ｊ３を避けつつ、送水溝５Ｊの面積を十分に確保できるよう、最も下側の溝５Ｊ１の幅が狭く、下から２番目の溝５Ｊ１の幅がその分広く形成されている。
【符号の説明】
【００４０】
１                          チルベント
１Ａ                        ガス抜き路
１０Ａ，１０Ｂ              固定板
１１Ｃ〜１１Ｉ              ケース
１１Ｃａ〜１１Ｉａ          収容室
２Ａ〜２Ｊ                  チルブロック
２Ａ１〜２Ｊ１              型合わせ面
３Ａ〜３Ｊ                  基材
３Ａ１〜３Ｊ１              突条
３Ｂ２，３Ｊ２              突部
３Ｂ３，３Ｊ３                    挿通孔
３Ｊ４                            嵌合凹部
４Ａ〜４Ｆ，４Ｊ，４Ｇ１〜４Ｉ１  送水路形成板
４Ｇ２〜４Ｉ２                    給水路形成板
４Ａ１〜４Ｃ１                    嵌合凹部
５Ａ〜５Ｊ                        送水溝
５Ａ１〜５Ａ７                    溝
５Ｂ１〜５Ｂ７                    溝
５Ｂ１ａ                          溝
５Ｂ３ａ                          溝
５Ｃ１〜５Ｃ７                    溝
５Ｃ５ａ                          溝
５Ｄ１〜５Ｄ５                    溝
５Ｅ１〜５Ｅ４                    溝
５Ｆ１〜５Ｆ２                    溝
５Ｇ１〜５Ｇ６                    溝
５Ｇ６ａ                          溝
５Ｈ１〜５Ｈ６                    溝
５Ｈ１〜５Ｈ６                    溝
５Ｈ５ａ                          幅狭部
５Ｉ１〜５Ｉ４                    溝
５Ｊ１〜５Ｊ４２                  溝
６Ａ１〜６Ｊ１                    給水孔
６Ａ２〜６Ｊ２                    排水孔
６Ｂ１                            給水孔
６Ｂ２                            排水孔
７Ｂ３，７Ｃ３，７Ｊ３            収容孔
７１                              締結ボルト
８Ｇ〜８Ｉ                        給水溝
８Ｉａ                            給水溝
９Ｇ１〜９Ｇ４                    連通孔
９Ｈ１〜９Ｈ４                    連通孔
９Ｉ１〜９Ｉ４                    連通孔
１０Ａ，１０Ｂ                    固定板
１１Ｄａ                          収容室
１１Ｇａ〜１１Ｉａ                収容室
【図１】
2012157894.tif 000003
【図２】
2012157894.tif 000004
【図３】
2012157894.tif 000005
【図４】
2012157894.tif 000006
【図５】
2012157894.tif 000007
【図６】
2012157894.tif 000008
【図７】
2012157894.tif 000009
【図８】
2012157894.tif 000010
【図９】
2012157894.tif 000011
【図１０】
2012157894.tif 000012
【図１１】
2012157894.tif 000013
【図１２】
2012157894.tif 000014
【図１３】
2012157894.tif 000015